(57)【要約】      （修正有）【課題】キートップの操作押圧に対し高耐久性を有しその自照性を低コストで実現する電子機器を提供する。【解決手段】画像表示パネル(15)と、それを支持し照明光を誘導するライトガイド(13)と、ライトガイドに反射シート(12)を挟み配置された基板(11)と、基板に実装された第１及び第２LED(7a1)(7b)と、基板に対しライトガイドを挟み固定された支持フレーム(17)と、第１及び第２のスイッチパターン(18a1，18b)を有し支持フレームに固定されたスイッチ基板(18)と、第１及び第２のスイッチパターンを押圧する第１及び第２キートップ(3a1,3b)とを備え、第１LEDの中心出光方向に出射した光はライトガイドに入射し外れた方向に出射した光は第１キートップに入射する。第２LEDの中心出光方向に出射した光は第２キートップに入射し外れた方向に出射した光はライトガイドに入射する。【選択図】図２
2019009077.tif 000002
【特許請求の範囲】
【請求項１】
画像表示パネル体と、
一面側に前記画像表示パネル体を支持すると共に前記画像表示パネル体へ照明光を誘導するライトガイドと、
前記ライトガイドの他面側に反射シートを挟んで配置された回路基板と、
前記回路基板に実装された第１のＬＥＤ及び第２のＬＥＤと、
前記回路基板に対し、前記ライトガイドを間に挟んで取り付けられた支持フレームと、
メンブレンスイッチとなる第１及び第２のスイッチパターンを有して前記支持フレームに取り付けられたスイッチ基板と、
前記第１及び第２のスイッチパターンをそれぞれ押圧する第１及び第２のキートップと、
を備え、
前記第１のＬＥＤの、中心出光方向に出射した光を直接前記ライトガイドに入射させると共に、中心出光方向から外れた方向に出射した光を前記第１のキートップに直接入射させ、
前記第２のＬＥＤの、中心出光方向に出射した光を前記第２のキートップに直接入射させると共に中心出光方向から外れた方向に出射した光を前記ライトガイドに直接入射させることを特徴とする電子機器。
【請求項２】
前記第１のＬＥＤは、側面出光タイプであって前記第１のキートップに対応した位置に実装され、前記第２のＬＥＤは、上面出光タイプであって前記第２のキートップに対応した位置に実装されていることを特徴とする請求項１記載の電子機器。
【請求項３】
画像表示パネル体と、
一面側に前記画像表示パネル体を支持するガイドと、
前記ガイドの他面側に配置された回路基板と、
前記回路基板に対し、前記ガイドを間に挟んで取り付けられた支持フレームと、
複数のスイッチ部を備え、前記支持フレームに取り付けられたスイッチ基板と、
前記スイッチ部をそれぞれ押圧するキートップと、
を備え
前記ガイドは、一面側に、前記画像表示パネル体に搭載した駆動部を覆う下壁を有し、
前記スイッチ部の少なくとも１つは、前記下壁の1面側に配置されること、
を特徴とする電子機器。
【発明の詳細な説明】
【技術分野】
【０００１】
本発明は、電子機器に係り、特に、透過型の画像表示パネルとスイッチを操作するキートップとを備えた電子機器に関する。
【背景技術】
【０００２】
バックライトからの光の透過率を制御して画像を表示するいわゆる透過型の画像表示パネルと、その画像表示パネルに近接配置された操作用キーと、を備えた電子機器の一例が特許文献１に記載されている。
特許文献１に記載された電子機器は、回路基板にバックライトを挟んで実装された画像表示パネルを有する。回路基板は、画像表示パネルの外形から張り出した張り出し部を有しており、この張り出し部にプッシュキーを実装することで、画像表示パネルに対する近接位置に操作用キーが高密度に配置されている。
【先行技術文献】
【特許文献】
【０００３】
【特許文献１】特開平８−０９６６５６号公報
【発明の概要】
【発明が解決しようとする課題】
【０００４】
特に、画像表示パネルの画像に操作キーの機能を表示する場合等、画像表示パネルと操作用キーとを近接して配置することが望ましい。特許文献１に記載された電子機器では、操作のためプッシュキーのキートップを押した力が直接回路基板に伝達される。そのため、プッシュキーの繰り返し操作に伴う負荷に回路基板が耐えられなくなる場合が想定され、耐久性向上の改善が望まれていた。
また、電子機器が特に車載用のオーディオ機器や無線機などの場合、プッシュキーのキートップが自照すると、操作性及び意匠性の観点で好ましい。
特許文献１に記載されている電子機器において、キートップを自照させようとすると、ＬＥＤなどの実装光源を各プッシュキーと共に張り出し部に実装させるなどの工夫が必要となり、かつコスト高になるため、何らかの工夫が望まれていた。
【０００５】
そこで、本発明が解決しようとする課題は、透過性画像表示パネルとプッシュキーとを近接配置可能でありながら、キートップの操作押圧に対する高い耐久性を有すると共にキートップの自照性を低コストで実現できる電子機器を提供することにある。
【課題を解決するための手段】
【０００６】
上記の課題を解決するために、本発明は次の１）、２）の構成を有する。
１）画像表示パネル体と、一面側に前記画像表示パネル体を支持すると共に前記画像表示パネル体へ照明光を誘導するライトガイドと、前記ライトガイドの他面側に反射シートを挟んで配置された回路基板と、前記回路基板に実装された第１のＬＥＤ及び第２のＬＥＤと、前記回路基板に対し前記ライトガイドを挟んで取り付けられた支持フレームと、メンブレンスイッチとなる第１及び第２のスイッチパターンを有して前記支持フレームに取り付けられたスイッチ基板と、前記第１及び第２のスイッチパターンをそれぞれ押圧する第１及び第２のキートップと、を備え、
前記第１のＬＥＤの、中心出光方向に出射した光を直接前記ライトガイドに入射させると共に中心出光方向から外れた方向に出射した光を前記第１のキートップに直接入射させ、前記第２のＬＥＤの、中心出光方向に出射した光を前記第２のキートップに直接入射させると共に中心出光方向から外れた方向に出射した光を前記ライトガイドに直接入射させることを特徴とする電子機器である。
２）  画像表示パネル体と、
一面側に前記画像表示パネル体を支持するガイドと、
前記ガイドの他面側に配置された回路基板と、
前記回路基板に対し、前記ガイドを間に挟んで取り付けられた支持フレームと、
複数のスイッチ部を備え、前記支持フレームに取り付けられたスイッチ基板と、
前記スイッチ部をそれぞれ押圧するキートップと、
を備え
前記ガイドは、一面側に、前記画像表示パネル体に搭載した駆動部を覆う下壁を有し、
前記スイッチ部の少なくとも１つは、前記下壁の1面側に配置されること、
を特徴とする電子機器である。
【発明の効果】
【０００７】
本発明によれば、透過性画像表示パネルとプッシュキーとを近接配置可能でありながら、キートップの操作押圧に対して高い強度を有すると共にキートップの自照性を低コストで実現できる、という効果を奏する。
【図面の簡単な説明】
【０００８】
【図１】図１は、本発明の実施の形態に係る電子機器の実施例である無線機５１を説明するための外観斜視図である。
【図２】図２は、無線機５１の前パネル体ＰＴの構成を説明するための斜視的組み立て図である。
【図３】図３は、前パネル体ＰＴの構成を説明するための図１におけるＳ３−Ｓ３位置での断面図である。
【図４】図４は、前パネル体ＰＴの構成を説明するための図１におけるＳ４−Ｓ４位置での断面図である。
【図５】図５は、前パネル体ＰＴの構成を説明するための図１におけるＳ５−Ｓ５位置での断面図である。
【図６】図６は、前パネル体ＰＴが有する回路基板１１を説明するための前面図である。
【図７】図７は、回路基板１１を説明するための下面図である。
【図８】図８は、前パネル体ＰＴが有するライトガイド１３を説明するための斜視図である。
【図９】図９は、前パネル体ＰＴが有する支持フレーム１７を説明するための斜視図である。
【図１０】図１０は、前パネル体ＰＴの照光構造を説明するための図１のＳ３−Ｓ３位置での断面図である。
【図１１】図１１は、前パネル体ＰＴの照光構造を説明するための図１のＳ４−Ｓ４位置での断面図である。
【発明を実施するための形態】
【０００９】
本発明の実施の形態に係る電子機器を、実施例である無線機５１により説明する。
無線機５１は、図１に示されるように、車のダッシュボードなどに装着されて使用される、いわゆる１ＤＩＮタイプの箱型を呈する。
図１には、以下の説明で用いる上下左右前後の各方向が矢印で示されている。各方向は、説明の便宜のため規定したものであって、無線機５１の使用姿勢等を限定するものではない。
【００１０】
無線機５１は、外観上、ダッシュボードへの装着時に露出する前パネル１を有する。前パネル１には、概ね中央上部に配置された画像表示部２と、画像表示部２の左右及び下方を囲むようにコ字状に配置された複数のキートップ３を含む操作部ＳＢと、を有する。この例において、操作部ＳＢは、複数のキートップ３として、画像表示部２の左側に縦に２個配置された操作ボタンのキートップ３ａ１と、右側に縦に２個配置された操作ボタンのキートップ３ａ２と、画像表示部２の下に左右横一列に配置された６個の操作ボタンのキートップ３ｂと、を含んでいる。
【００１１】
また、前パネル１における左上の部分には電源ボタン４が配置され、電源ボタン４の下にはマイクロフォンやヘッドホンを接続するためのコネクタ５が配置されている。
また、前パネル１における右端部には、内蔵されたスピーカユニット（不図示）からの音を放出するスリット状の開口部である放音部６が設けられている。
【００１２】
前パネル１には、組み立て図である図２に示されるように、複数の部品が前後方向に積層されるように組み付けられて前パネル体ＰＴが構成されている。
具体的には、後方側から、回路基板１１，反射シート１２，ライトガイド１３，拡散シート１４，画像表示パネル体１５，スペーサ１６，支持フレーム１７，スイッチ基板１８，及びキートップシート１９である。
【００１３】
これらを組み付けて一体化した前パネル体ＰＴにおける、図１のＳ３−Ｓ３位置での断面図を図３に、Ｓ４−Ｓ４位置での断面図を図４に、Ｓ５−Ｓ５位置での断面図を図５に示す。
Ｓ３−Ｓ３位置は、下側のキートップ３ａ１，３ａ２を通る位置であり、Ｓ４−Ｓ４位置及びＳ５−Ｓ５位置は、キートップ３ｂを通る位置である。
以下、図２〜図５も参照して説明する。
【００１４】
まず、回路基板１１について、図２，図６，及び図７を参照して説明する。図６及び図７は、それぞれ回路基板１１を前方及び下方から見た図である。
各図に示されるように、回路基板１１には、コネクタ５が実装されると共に、複数のキートップ３ａ１及び３ａ２に対応した位置に、光源としてそれぞれＬＥＤ７ａ１及びＬＥＤ７ａ２が実装され、複数のキートップ３ｂそれぞれに対応した位置に、光源としてＬＥＤ７ｂが実装されている。
【００１５】
ＬＥＤ７ａ１，７ａ２は、いわゆる側面発光タイプのチップＬＥＤであって、実装された回路基板１１の表面１１ａに沿い、出光量が最大となる中心出光方向が、ＬＥＤ７ａ１は右方向（矢印ＤＲａ１）、ＬＥＤ７ａ２は左方向（矢印ＤＲａ２）となる向きで実装されている。
ＬＥＤ７ｂは、いわゆる上面発光タイプのチップＬＥＤであって、出光量が最大となる中心出光方向が、実装された回路基板１１の表面１１ａと直交する前方向(矢印ＤＲｂ)となっている。
ＬＥＤ７ａ１，７ａ２，７ｂは、いずれも光量半減角度が、中心出光方向から例えば６０°程度となる広指向角タイプである。
【００１６】
回路基板１１の表面１１ａにおけるＬＥＤ７ａ１とＬＥＤ７ａ２との間の矩形スペースには、反射シート１２が貼付される。
【００１７】
図８は、ライトガイド１３を説明するための、右前斜め上方から見た斜視図である。図８には、図３〜図５の切断位置に対応する位置が理解容易のため記載してある。
ライトガイド１３は、画像表示パネル体１５を支持するガイドであり、光透過性を有する樹脂（例えば透明のアクリル樹脂）で形成されており、いずれかの面から内部に入射した光を他の面に誘導して出光又は内部反射させるものである。
【００１８】
ライトガイド１３は、その左下部に形成された、回路基板１１に実装されたコネクタ５を逃げる切り込み部１３ａと、画像表示パネル体１５を収容するために前方側から抉れた凹部として形成された収容部１３ｂと、を有し、全体の外観形状として前後に薄い直方体を呈する。
【００１９】
ライトガイド１３は、前方視形状において、収容部１３ｂを含め、４つの領域に分類される。
すなわち、中央上部の抉れた収容部１３ｂ，収容部１３ｂに対する左側の領域である左スイッチ対応部１３ｄ１，右側の領域である右スイッチ対応部１３ｄ２，及び収容部１３ｂの下側の領域である下スイッチ対応部１３ｄ３である。
【００２０】
収容部１３ｂの底となる底壁１３ｂ１は、薄く平坦で均一厚さに形成されている。底壁１３ｂ１の左右端から前方に立ち上がる側壁１３ｃ１，１３ｃ２は、底壁１３ｂ１に対し直立する壁として形成されている。
【００２１】
また、図３に示されるように、左スイッチ対応部１３ｄ１は、後方側から抉れた凹部１３ｅ１を有する。右スイッチ対応部１３ｄ２は、後方側から抉れた凹部１３ｅ２を有する。
また、図５に示されるように、下スイッチ対応部１３ｄ３は、後方側から抉れた凹部１３ｅ３を有する。
左スイッチ対応部１３ｄ１及び右スイッチ対応部１３ｄ２には、それぞれ前方に上下に長い長方形状で突出し、後述する支持フレームに係合する凸部１３ｆ１及び凸部１３ｆ２が形成されている。
また、下スイッチ対応部１３ｄ３は、底として平板状の下壁１３ｊを有する
【００２２】
図２に示されるように、収容部１３ｂにおける底壁１３ｂ１の前面には、光透過性を有すると共に厚さ方向に出入りする光を拡散する拡散シート１４が、その周縁に貼られた両面テープ（不図示）によって貼着されている。
さらに、拡散シート１４の前面には画像表示パネル体１５が、これも周縁に貼られた表面テープ(不図示)によって貼着されている。
【００２３】
画像表示パネル体１５は、パネル基板１５ａと、パネル基板１５ａに取り付けられた液晶の画像表示パネル１５ｂ及び画像表示パネル１５ｂを駆動するドライバＩＣとしての駆動部１５ｃを有する。
パネル基板１５ａは、画像表示パネル１５ｂに対し下方に張り出した張り出し部１５ａ１を有し、駆動部１５ｃはこの張り出し部１５ａ１に実装されている。
また、張り出し部１５ａ１からは、回路基板１１への電気接続のためのフレキシブルな接続基板１５ｄが下方から後方へと引き出されている。
【００２４】
図９は、支持フレーム１７を説明するための、右前斜め上方から見た斜視図である。
支持フレーム１７は、薄板の金属板材をプレス加工して形成されている。
支持フレーム１７は、ライトガイド１３の前面視外形形状に概ねに対応した外形形状を有する平板状の基部１７ａと、基部１７ａの上−右−下の各縁部から後方に直角曲げされた側壁部１７ｂ１，１７ｂ２，１７ｂ３と、を有する。
側壁部１７ｂ１〜１７ｂ３の先端位置は、基部１７ａから所定距離の取付基準位置Ｐａとして位置統一されている。
側壁部１７ｂ１，１７ｂ３には、部分的には、複数の折り曲げ爪部１７ｃが形成されている。
【００２５】
図２に示されるスペーサ１６は、画像表示パネル１５ｂの画像表示領域を囲む矩形の枠体である。スペーサ１６は、厚さ方向に弾性を有するように、例えばエラストマ又はゴムなどによって形成されている。
【００２６】
そして、まず、反射シート１２が、回路基板１１の前側に貼り付けられる。そして、拡散シート１４がライトガイド１３に貼り付けられて、そのライとガイド１３が回路基板１１に重ねられる。
画像表示パネル体１５が、ライトガイド１３の収容部１３ｂに装着されるにあたり、画像表示パネル体１５の駆動部１５ｃの位置は、ライトガイド１３の底壁１３ｂ１と下壁１３ｊとの間に納まり、駆動部１５は、前面からは下壁１３ｊに覆われる。
次に、ライトガイド１３とスペーサ１６とを重ね、その前方から支持フレーム１７を宛がいって回路基板１１に押し付ける。ライトガイド１３が回路基板１１に当接しさらにスペーサ１６がわずかに圧縮されると、側壁部１７ｂ１〜１７ｂ３の先端が回路基板１１に当接する。
この状態で、支持フレーム１７の折り曲げ爪部１７ｃを、回路基板１１の反対側に折り込む。
【００２７】
これにより、前後方向である厚さ方向において、支持フレーム１７の基部１７ａ，スペーサ１６，画像表示パネル体１５，拡散シート１４，ライトガイド１３の底壁１３ｂ１，反射シート１２，及び回路基板１１が、厚さ方向に隙間なく密着して実質的に一体物となる。
【００２８】
図２及び図９などに示されるように、支持フレーム１７の基部１７ａには、ライトガイド１３の凸部１３ｆ１，１３ｆ２が係合して位置決めとなる位置決め孔１７ａ１，１７ａ２が形成されている。
【００２９】
また、基部１７ａには、位置決め孔１７ａ１，１７ａ２の他に、画像表示パネル１５ｂの画像表示領域を露出させる矩形の表示領域開口部１７ａ３と、回路基板１１に実装された複数のＬＥＤ７ｂそれぞれに対応した位置に形成された貫通孔である光通過孔１７ａ４と、が形成されている。
【００３０】
図２に示されるように、支持フレーム１７の前面には、キートップ３ａ１，３ａ２，３ｂの配置位置を含む概ねコ字状に形成されたスイッチ基板１８が、貼り付けられている。スイッチ基板１８は、フレキシブル基板であってもよい。
スイッチ基板１８には、キートップ３ａ１，３ａ２，３ｂそれぞれに対応した位置に、それらの押し込み力によってＯＮ／ＯＦＦを切り換えるメンブレンスイッチとしてのスイッチパターン１８ａ１，１８ａ２，１８ｂが形成されている。
スイッチ基板１８は、各スイッチパターン１８ａ１，１８ａ２，１８ｂの中央となる、支持フレーム１７に取り付けられた状態で光通過孔１７ａ４に対応する位置に、貫通孔１８ｃが形成されている。
【００３１】
キートップシート１９は、キートップ３ａ１，３ａ２，３ｂを一体成形してなるシートであり、シリコーンゴムなどによって少なくともキートップ３ａ１，３ａ２，３ｂが光透過性を有するように形成される。
キートップシート１９は、スイッチ基板１８が取り付けられた支持フレーム１７と前パネル１との間に挟まれ、キートップ３ａ１，３ａ２，３ｂが指などで押し込み可能、かつ弾性復帰可能に支持されている。
【００３２】
次に、以上の構成を有する前パネル体ＰＴのキートップ押圧力の受け止め構造について、説明する。
【００３３】
（キートップ押圧力の受けとめ構造について）
以上説明した積層構造を有する前パネル体ＰＴは、キートップ３ａ１，３ａ２，３ｂを指などで押すと、それぞれスイッチ基板１８のスイッチパターン１８ａ１，１８ａ２，１８ｂを押圧してＯＮ／ＯＦＦの切り換えが行われる。
その際、図３に示されるキートップ３ａ１，３ａ２の押し込み力Ｆａと図４及び図５に示されるキートップ３ｂによる押し込み力Ｆｂとは、パネル基板１５ａではなく、スイッチ基板１８を介して、それが貼着されている支持フレーム１７及びライトガイド１３により受けとめられる。
【００３４】
このように、前パネル体ＰＴでは、画像表示パネル体１５に近接配置されたキートップ３ａ１，３ａ２，３ｂのうち、画像表示パネル体１５のパネル基板１５ａの前面に配置されているキートップ３ｂを押しても、その押し込み力Ｆｂが、下壁１３ｊにより画像表示パネル１５ｂのパネル基板１５ａに付与されないようになっている。
これにより、前パネル体ＰＴを有する無線機５１は、キートップ３ａ１，３ａ２，３ｂが押し下げられても、その押圧力に起因してパネル基板１５ａに加わる負荷はほとんどなく、多数回の押し下げに対して高い耐久性が得られる。
【００３５】
（照光構造について）
次に、前パネル体ＰＴの照光構造について、図１０及び図１１も参照して説明する。図１０及び図１１は、それぞれ図３及び図４に対応した断面図である。
【００３６】
まず、図１０において、前パネル体ＰＴは、既述のように、画像表示パネル１５ｂのバックライトとなる主光源として、側面出光タイプであるが広指向角を有するＬＥＤ７ａ１，７ａ２を用いている。
具体的には、ＬＥＤ７ａ１，７ａ２から側方出力した光Ｌａ１，Ｌａ２を、ライトガイド１３の凹部１３ｅ１，１３ｅ２に回路基板１１の表面１１ａに対して直交する面としてそれぞれ形成された入光面１３ｇ１，１３ｇ２から入射させて、画像表示パネル１５ｂのバックライトとしての照明に供している。
【００３７】
このＬＥＤ７ａ１，７ａ２は、広指向角の出光特性を有することから、図１０に示されるように、回路基板１１の表面１１ａに対し直交する方向にもある程度の光量の光Ｌａ３，Ｌａ４（破線矢印）が出光する。
この光Ｌａ３，Ｌａ４も利用すべく、ライトガイド１３には、凹部１３ｅ１，１３ｅ２の底面として、ＬＥＤ７ａ１，７ａ２と対向する位置に、表面１１ａと平行な入光面１３ｇ３，１３ｇ４が形成されている。
【００３８】
これにより、光Ｌａ３，Ｌａ４は、入光面１３ｇ３，１３ｇ４から入光し、入光面１３ｇ３，１３ｇ４に対向する凸部１３ｆ１，１３ｆ２から外部に出光してスイッチ基板１８に形成された貫通孔１８ｃを通り、キートップ３ａ１，３ａ２に入光してそれらを自照させる。
【００３９】
また、図１１に示されるように、前パネル体ＰＴは、キートップ３ｂの自照光源として、上面発光タイプで広指向角の出光特性を有するＬＥＤ７ｂを用いている。
そして、ＬＥＤ７ｂの上面（前方となる面）から出力した光Ｌｂ１は、回路基板１１の表面１１ａに対し平行延在しているライトガイド１３の下壁１３ｊと、支持フレーム１７の光通過孔１７ａ４と、スイッチ基板１８の貫通孔１８ｃと、を通り、キートップ３ｂに入光してそれを自照させる。
【００４０】
また、ＬＥＤ７ｂは、広指向角の出光特性を有することから、図１１に示されるように、回路基板１１の表面１１ａに沿う方向にもある程度の光量の光Ｌｂ２（破線矢印）が出光する。
ライトガイド１３の収容部１３ｂにおける底壁１３ｂ１の下方端面１３ｂ２は、回路基板１１の表面１１ａに対して直交する平面となっているので、光Ｌｂ２は、下方端面１３ｂ２において反射することなく底壁１３ｂ１の内部に入光し、画像表示パネル１５ｂのバックライト照明の一部として供される。
【００４１】
光Ｌｂ２は、中心出光方向から大きく外れた方向に出射した光であるから、比較して強い光ではないものの、ＬＥＤ７ｂが左右方向に複数離隔配置されていることから、画像表示パネル１５ｂの照度むら（特に長手方向の）を低減する補助光として有効に作用する。
【００４２】
このように、前パネル体ＰＴを有する無線機５１は、ＬＥＤ７ａ，７ｂを、画像表示パネル１５ｂの照明光源と画像表示パネル１５ｂに近接配置されたキートップ３ａ１，３ａ２，３ｂの自照光源との両方に用いている。
詳しくは、一つのＬＥＤについて、その中心出光方向に出射した光を、照明光源及び自照光源の一方に用い、中心出光方向から離隔した方向に出射した光を、他方に用いるよう構成している。
換言するならば、無線機５１の前パネル体ＰＴは、一つのＬＥＤから一方向に出射した光を分岐することなく、出射方向に応じて二つの照明体（画像表示パネル及びキートップ）に直接入光するよう誘導する照光構造を有している。
従って、分岐素子が不要であり、出射方向に応じた異なる光量の複数の光を、それぞれの光量に適した照明体に供給することができ、絞りなどの光量制御具も不要で、簡単で低コストの照光構造となっている。
【００４３】
ここで、中心出光方向から離隔した方向とは、例えば、中心出光方向に対し光量が半分以下となる方向である。
これにより、ＬＥＤの使用個数が少なくて済みコスト高が抑制される。
【００４４】
以上詳述した実施例は、上述の構成に限定されるものではなく、本発明の要旨を逸脱しない範囲において変形した変形例としてもよい。
【００４５】
電子機器は上述の無線機５１に限定されない。実施例の構成は、画像表示部に近接してキートップが配置された電子機器に適用できる。
【符号の説明】
【００４６】
１  前パネル
２  画像表示部
３，３ａ１，３ａ２，３ｂ  キートップ
４  電源ボタン
５  コネクタ
６  放音部
７ａ１，７ａ２，７ｂ  ＬＥＤ
１１  回路基板、    １１ａ  表面
１２  反射シート
１３  ライトガイド
１３ａ  切り込み部、    １３ｂ  収容部、    １３ｂ１  底壁
１３ｂ２  下方端面、    １３ｃ１，１３ｃ２  側壁
１３ｄ１  左スイッチ対応部、    １３ｄ２  右スイッチ対応部
１３ｄ３  下スイッチ対応部、    １３ｅ１〜１３ｅ３  凹部
１３ｆ１，１３ｆ２  凸部、    １３ｇ１〜１３ｇ４  入光面
１３ｊ  下壁、
１４  拡散シート
１５  画像表示パネル体
１５ａ  パネル基板、    １５ａ１  張り出し部、  １５ｂ  画像表示パネル
１５ｃ  駆動部、    １５ｄ  接続基板
１６  スペーサ
１７  支持フレーム
１７ａ  基部、    １７ａ１，１７ａ２  位置決め孔
１７ａ３  表示領域開口部、    １７ａ４  光通過孔
１７ｂ１〜１７ｂ３  側壁部  １７ｃ  折り曲げ爪部
１８  スイッチ基板、    １８ａ１，１８ａ２，１８ｂ  スイッチパターン
１８ｃ  貫通孔
１９  キートップシート
５１  無線機（電子機器）
Ｆａ，Ｆｂ  押し込み力
Ｌａ１〜Ｌａ４，Ｌｂ１  光
Ｐａ  取付基準位置、    ＰＴ  前パネル体
ＳＢ  操作部
【図１】
2019009077.tif 000003
【図２】
2019009077.tif 000004
【図３】
2019009077.tif 000005
【図４】
2019009077.tif 000006
【図５】
2019009077.tif 000007
【図６】
2019009077.tif 000008
【図７】
2019009077.tif 000009
【図８】
2019009077.tif 000010
【図９】
2019009077.tif 000011
【図１０】
2019009077.tif 000012
【図１１】
2019009077.tif 000013